(57)【要約】【課題】  玄関部に自然光を取り入れることができるとともに、アウトドア用品の手入れや収納を行う場所を確保することができる集合住宅の住戸構造を提供する。【解決手段】集合住宅の住戸構造１は、玄関部５、キッチンコリドー部６、及び居室部７が奥行方向に１列に並べて配置された集合住宅の住戸構造１であって、前記居室部７に採光可能な開口部２０が設けられるとともに、前記居室部７と前記キッチンコリドー部６との間及び前記キッチンコリドー部６と前記玄関部５との間が自然光２１を通過可能な構成であり、前記玄関部５は全面が土間床１０である。【選択図】図１
2019007263.tif 000002
【特許請求の範囲】
【請求項１】
玄関部、キッチンコリドー部、及び居室部が奥行方向に１列に並べて配置された集合住宅の住戸構造であって、
前記居室部に採光可能な開口部が設けられるとともに、
前記居室部と前記キッチンコリドー部との間及び前記キッチンコリドー部と前記玄関部との間が光が通過可能な構成であり、
前記玄関部は全面が土間床であることを特徴とする集合住宅の住戸構造。
【請求項２】
前記玄関部は間口方向の長さよりも奥行方向の長さが長いことを特徴とする請求項１に記載の集合住宅の住戸構造。
【請求項３】
前記キッチンコリドー部は前記玄関部から連続する土間床を有することを特徴とする請求項１又は請求項２に記載の集合住宅の住戸構造。
【請求項４】
前記玄関部から間口方向に隣接して形成され、寝室に繋がる廊下部を有することを特徴とする請求項１から請求項３のいずれかに記載の集合住宅の住戸構造。
【請求項５】
トイレ、洗面所、浴室が共用廊下側に並べて配置され、前記トイレの出入口が前記廊下部に面するとともに、前記洗面所の出入口が前記寝室に面することを特徴とする請求項４に記載の集合住宅の住戸構造。
【請求項６】
前記玄関部に全身鏡が配置されることを特徴とする請求項１から請求項５のいずれかに記載の集合住宅の住戸構造。
【請求項７】
前記玄関部にハンガーポールが配置されることを特徴とする請求項１から請求項６のいずれかに記載の集合住宅の住戸構造。
【発明の詳細な説明】
【技術分野】
【０００１】
本発明は、集合住宅の住戸構造に関し、主として単身世帯の賃貸用住戸の構造に関する。
【背景技術】
【０００２】
従来より、集合住宅の住戸構造は窓を設けることができる部分が限られるために共用廊下側に設けられる玄関部が暗くなりやすい。そこで、例えば玄関ドアにガラス付き玄関扉を採用したものや玄関ドアの横に採光窓を設けた住戸構造が提案されている（例えば特許文献１）。
【０００３】
また、例えばメゾネットタイプの住戸で上階のバルコニー側に設けた窓からの光が階段室の吹きぬけを通して玄関部に入射するように構成した住戸構造が提案されている（例えば特許文献２）
【先行技術文献】
【特許文献】
【０００４】
【特許文献１】特開平７−２３８６９５号公報
【特許文献２】特開２０００−２６５５８６号公報
【発明の概要】
【発明が解決しようとする課題】
【０００５】
しかし、例えば中廊下型の集合住宅のように、共用廊下側から自然光を取り入れることができない場合には、ガラス付き玄関扉や玄関ドアの横に採光窓を設けた住戸構造を採用することはできない。また、メゾネットタイプの住戸のような特殊な間取りでなければ吹き抜けを設けることもできず、玄関部が薄暗くなる問題が解決できていない。
【０００６】
また、近年のアウトドアブームで住戸内にアウトドア用品の手入れや収納を行う場所を確保したい要望が高まっているが、集合住宅ではそのようなスペースを確保することが困難な場合も多く、また、バルコニーで手入れなどを行う場合には、玄関から持ち込んだアウトドア用品を一旦室内に上げることになり不便である。
【０００７】
そこで本発明は、玄関部に自然光を取り入れることができるとともに、アウトドア用品の手入れや収納を行う場所を確保することができる集合住宅の住戸構造を提供することを目的とする。
【課題を解決するための手段】
【０００８】
本発明の集合住宅の住戸構造は、玄関部、キッチンコリドー部、及び居室部が奥行方向に１列に並べて配置された集合住宅の住戸構造であって、前記居室部に採光可能な開口部が設けられるとともに、前記居室部と前記キッチンコリドー部との間及び前記キッチンコリドー部と前記玄関部との間が光を通過可能な構成であり、前記玄関部は全面が土間床であることを特徴としている。
【０００９】
本発明の集合住宅の住戸構造は、前記玄関部は間口方向の長さよりも奥行方向の長さが長いことを特徴としている。
【００１０】
本発明の集合住宅の住戸構造は、前記キッチンコリドー部は前記玄関部から連続する土間床を有することを特徴としている。
【００１１】
本発明の集合住宅の住戸構造は、前記玄関部から間口方向に隣接して形成され、寝室に繋がる廊下部を有することを特徴としている。
【００１２】
本発明の集合住宅の住戸構造は、トイレ、洗面所、浴室が共用廊下側に並べて配置され、前記トイレの出入口が前記廊下部に面するとともに、前記洗面所の出入口が前記寝室に面することを特徴としている。
【００１３】
本発明の集合住宅の住戸構造は、前記玄関部に全身鏡が配置されることを特徴としている。
【００１４】
本発明の集合住宅の住戸構造は、前記玄関部にハンガーポールが配置されることを特徴としている。
【発明の効果】
【００１５】
本発明の集合住宅の住戸構造によると、玄関部、キッチンコリドー部、及び居室部が奥行方向に１列に並べて配置されており、居室部に設けられる開口部から屋内に入った自然光が、光が通過可能な前記居室部と前記キッチンコリドー部との間及び前記キッチンコリドー部と前記玄関部との間を通って玄関部に入射することができるので、玄関部に自然光を取り入れることができる。そして、玄関部は全面が土間床であるので、自然光が取り入れられる玄関部の土間床でアウトドア用品を玄関部の土間床で手入れすることができる。
【００１６】
本発明の集合住宅の住戸構造によると、玄関部は間口方向の長さよりも奥行方向の長さが長いので、間口方向の長さが限られた中でより広い玄関部の土間床を配置することができ、アウトドア用品の手入れや収納場所として玄関部の土間床を利用することができる。
【００１７】
本発明の集合住宅の住戸構造によると、キッチンコリドー部は玄関部から連続する土間床を有するので、土間床をより広く形成することができ、例えば自転車やスノーボードなどの大きなアウトドア用品の手入れや収納場所として活用することができる。また、キッチンコリドー部を土間床とすることで、水はねや油汚れなどの掃除を簡便化することができる。
【００１８】
本発明の集合住宅の住戸構造によると、廊下部が玄関部から間口方向に隣接して形成されており、当該廊下部は寝室に繋がっているので、玄関部から廊下部を介して寝室にアクセスすることができ、寝室から廊下部を介して玄関部にアクセスすることができる。したがって、帰宅したときには玄関部からキッチンコリドーや居室部を介することなく寝室にアクセスすることができるので、また外出する際にも寝室からキッチンコリドーや居室部を介することなく玄関部にアクセスすることができるので、不必要な動線を経ることなく着替え等を行うことができる。
【００１９】
本発明の集合住宅の住戸構造によると、共用廊下側にはトイレ、洗面所、浴室が並べて配置されており、トイレの出入口が廊下部に面するとともに、洗面所の出入口が寝室に面するので、寝室から水廻りへの生活動線を短くすることができ、外出前、帰宅後、就寝時の準備時間を短縮することができる。
【００２０】
本発明の集合住宅の住戸構造によると、玄関部に全身鏡が配置されるので、自然光の下で出かける前に全身チェックすることができる。
【００２１】
本発明の集合住宅の住戸構造によると、玄関部にハンガーポールが配置されるので、例えば自転車、スノーボード、雨合羽などを掛けて保管することができる。
【図面の簡単な説明】
【００２２】
【図１】集合住宅の住戸構造の一例を示す水平断面図。
【図２】玄関部、キッチンコリドー部、及び居室部の配置を示す鉛直断面図。
【図３】集合住宅の住戸構造の生活動線を示す水平断面図。
【発明を実施するための形態】
【００２３】
以下、本発明に係る集合住宅の住戸構造１の最良の実施形態について各図を参照しつつ説明する。本実施形態の集合住宅の住戸構造１は、例えば単身世帯の賃貸用住戸の構造であり、応接室を必要とするような来客を想定しない住戸構造１である。住戸構造１は、図１に示すように、本実施形態においては、共用廊下２とバルコニー３との間に挟まれた平面視矩形の住戸構造１であり、間口方向の両側に隣接住戸が配置される。また、共用廊下２を挟んで住戸構造１と反対側にも向かいの住戸が配置されている。したがって共用廊下２は住戸に挟まれた内廊下となっており、外部から自然光を導入することはできない構造である。
【００２４】
なお、本発明の集合住宅の住戸構造１は、単身世帯及び賃貸用住戸に限定されるものではなく、２人以上が住まう住戸や分譲住戸であっても良い。また、間口方向の両側に隣接住戸が配置される住戸構造１に限定されるものではなく、例えば隣接建物などとの関係で採光をとることが困難である場合には、間口方向の一端側が外壁であってもよい。また、共用廊下２は内廊下に限定されるものではなく、玄関部５への採光を遮る隣接建物などがあるような場合には外廊下であっても良い。集合住宅の住戸構造１は、平面視矩形で一方の面のみが採光する面となっており、残りの３方の面が採光困難であればよい。
【００２５】
集合住戸の住戸構造１は、図１及び図２に示すように、一方の界壁４に沿って玄関部５と、キッチンコリドー部６と、居室部７とが奥行方向に１列に並べて配置されている。なお、これら玄関部５、キッチンコリドー部６、及び居室部７は、奥行方向に１列に並べて配置されていれば、必ずしも界壁４に沿って配置されるものでなくてもよい。本実施形態において「奥行方向」は共用廊下２及びバルコニー３に直交する方向をいい、「間口方向」は外廊下に平行な方向をいう。なお、コリドーは廊下・通路の意味であり、「キッチンコリドー」は台所兼廊下を意味している。
【００２６】
玄関部５は、共用廊下２から窪んで形成されたアルコーブ８に設けられる玄関ドア９の屋内側の空間である。玄関部５は例えば間口方向の長さが１．５ｍで、奥行方向の長さが３．５ｍ程度に形成されており、奥行方向の長さが間口方向の長さよりも長く形成されている。玄関部５はその全面が土間床１０で構成されている。なお本実施形態において「土間床」は住戸内の土足のままで利用できる床部分を意味し、居室部７などの一般床よりも床面が低く形成されている。土間床１０は防水性を有することが好ましい。玄関部５には、一方の界壁４にハンガーポール１１が固定されている。また、玄関部５の界壁４と逆側の間仕切壁１４には全身鏡１２が形成されている。
【００２７】
ハンガーポール１１は、図示しないが両端が界壁４に支持されて玄関部５側に水平に突き出す１対の腕部と、１対の腕部の間に架設されるポール本体と、を有している。なお、ハンガーポール１１は玄関部５の土間床１０に立設される１対の柱部の間にポール本体が架設される構成であってもよい。ハンガーポール１１は、例えば自転車やスノーボードなどのアウトドア用品１３を引っ掛けることができるほどの強度を有していることが好ましい。このようなハンガーポール１１を設けることによって、図３に示すように、土間床１０である玄関部５に自転車、スノーボード、雨合羽などのアウトドア用品１３を掛けて保管することができ、フローリングなどの一般床の上にアウトドア用品１３を運び入れる必要がなくなる。
【００２８】
キッチンコリドー部６は、玄関部５よりも間口方向の長さが１ｍ程長く形成されており、間仕切壁１４が玄関部５よりも部屋の中央側に形成されている。キッチンコリドー部６には、界壁４と逆側の間仕切壁１４に沿って例えばガスレンジ１５やシンク１６などの設備が配置されている。キッチンコリドー部６は玄関部５との間に間仕切壁１４や建具が設けられておらず、玄関部５の空間と一体的な空間となっている。キッチンコリドー部６の床面は玄関部５から連続する土間床１０が形成されており、土間床１０は奥行方向にガスレンジ１５やシンク１６などの設備が形成されている位置まで続いている。キッチンコリドー部６の奥行方向のバルコニー３側には上がり框１７が設けられてフローリングの一般床が形成されている。一般床にはガスレンジ１５やシンク１６に並べられるように冷蔵庫が配置されている。なお、キッチンコリドー部６には図示しない調理器具や収納棚などが設けられていてもよい。
【００２９】
キッチンコリドー部６の奥行方向に隣接する居室部７はダイニングである。キッチンコリドー部６と居室部７との境界は、界壁４から１ｍ程の通路を開けてダイニングカウンタ１８が形成されている。居室部７の床面はフローリングであり、間口方向にリビング１９が配置されている。リビング１９と居室部７との間には、間仕切壁１４等が形成されていないので、居室部７とリビング１９とは繋がった一体的な空間となっている。居室部７及びリビング１９の奥には外壁を挟んでバルコニー３が形成されている。
【００３０】
居室部７とバルコニー３の間の外壁には掃き出し窓の開口部２０が形成されており、図２に示すように、この開口部２０から入射した自然光２１が居室部７、キッチンコリドー部６、及び玄関部５まで届くように、居室部７とキッチンコリドー部６との間及びキッチンコリドー部６と玄関部５との間に光を遮る間仕切壁や建具が形成されていない。なお、これら居室部７とキッチンコリドー部６との間及びキッチンコリドー部６と玄関部５との間は自然光２１が通過可能な構成であればよいので、例えばガラス製などの透明な建具が設けられていてもよい。また、開口部２０は掃き出し窓に限られず、屋外から自然光２１を取り入れることができる構成であればどのような窓であっても良い。
【００３１】
このように、玄関部５、キッチンコリドー部６、及び居室部７が奥行方向に１列に並べて配置され、開口部２０からの自然光２１を玄関部５に取り入れることができるので、自然光２１が取り入れられる玄関部５の土間床１０でアウトドア用品１３を玄関部５の土間床１０で手入れすることができ、しかもキッチンコリドー部６も土間床１０を有するので、例えば自転車やスノーボードなどの大きなアウトドア用品１３の手入れや収納場所として活用することができる。なお、キッチンコリドー部６が土間床１０であるので、水はねや油汚れなどの掃除を簡便化することもできる。そして、玄関部５に全身鏡１２が配置されているので、自然光２１の下で出かける前に全身チェックすることができる。
【００３２】
図１に示すように、玄関部５の間口方向の界壁４と逆側には全身鏡１２に隣接して廊下部２２が形成されている。廊下部２２は玄関部５の土間床１０から上がり框１７が設けられてフローリングの一般床が形成されている。なお、本実施形態においては玄関部５と廊下部２２との間に扉を設けていないが、扉を設けていてもよい。廊下部２２は１ｍ四方の短い形状で、玄関部５と寝室２７とを繋いでいる。廊下部２２の共用廊下２側にはトイレ２３が形成されており、トイレ２３のドアが廊下部２２に面している。またトイレ２３と共用廊下２との間にはパイプスペース２８が設けられている。寝室２７と共用廊下２との間には洗面所２４及び浴室２５が配置されており、洗面所２４のドアは寝室２７に面している。また、トイレ２３、洗面所２４、及び浴室２５は、共用廊下２に沿って互いに隣り合って配置されている。
【００３３】
寝室２７はリビング１９の奥行方向に隣接してバルコニー３の逆側に配置されており、引き違い戸２６によってリビング１９と隔てられている。寝室２７には、浴室２５との間仕切壁１４に沿ってクローゼットなどの収納部が設けられている。廊下部２２と寝室２７との間は引き戸２９が開閉可能に設けられている。
【００３４】
このように、廊下部２２が玄関部５から間口方向に隣接して形成されており、当該廊下部２２は寝室２７に繋がっているので、図３に示すように、玄関部５から廊下部２２を介して寝室２７にアクセスすることができ、寝室２７から廊下部２２を介して玄関部５にアクセスすることができる。したがって、帰宅したときには玄関部５からキッチンコリドー部６や居室部７を介することなく寝室２７にアクセスすることができ、また外出する際にも寝室２７からキッチンコリドーや居室部７を介することなく玄関部５にアクセスすることができる。そして、トイレ２３の出入口が廊下部２２に面するとともに、洗面所２４の出入口が寝室２７に面するので、寝室２７から水廻りへの生活動線を短くすることができ、外出前、帰宅後、及び就寝時の準備時間を短縮することができる。
【００３５】
なお、本発明の実施の形態は上述の形態に限ることなく、本発明の思想の範囲を逸脱しない範囲で適宜変更することができることは云うまでもない。
【産業上の利用可能性】
【００３６】
本発明に係る集合住宅の住戸構造１は例えば単身世帯の賃貸用住戸として好適に用いることができる。
【符号の説明】
【００３７】
１      集合住宅の住戸構造
２      共用廊下
５      玄関部
６      キッチンコリドー部
７      居室部
１０    土間床
１１    ハンガーポール
１２    全身鏡
２０    開口部
２２    廊下部
２３    トイレ
２４    洗面所
２５    浴室
２７    寝室
【図１】
2019007263.tif 000003
【図２】
2019007263.tif 000004
【図３】
2019007263.tif 000005
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
玄関部、キッチンコリドー部、及び居室部が界壁に沿って奥行方向に１列に並べて配置され、前記玄関部から間口方向に隣接して寝室に繋がる廊下部を有する集合住宅の住戸構造であって、
前記居室部に採光可能な開口部が設けられるとともに、
前記居室部と前記キッチンコリドー部との間及び前記キッチンコリドー部と前記玄関部との間は光が通過可能な構成であり、
前記玄関部は全面が土間床であり、
前記キッチンコリドー部は、前記玄関部から連続する土間床と、上がり框の前記居室部側に設けられ、前記居室部に連続するフローリングの一般床とを有し、
前記界壁と逆側の間仕切壁に沿って、前記キッチンコリドー部の土間床にガスレンジ及びシンクが配置されるとともに、前記上がり框に隣接して前記一般床に冷蔵庫が配置され、
前記キッチンコリドー部と前記居室部との境界に、前記間仕切り壁に当接するとともに前記界壁側に延びており、当該界壁との間に通路の間隔を開けて配置されるダイニングカウンタが形成されることを特徴とする集合住宅の住戸構造。
【請求項２】
前記玄関部は間口方向の長さよりも奥行方向の長さが長いことを特徴とする請求項１に記載の集合住宅の住戸構造。
【請求項３】
トイレ、洗面所、浴室が共用廊下側に並べて配置され、前記トイレの出入口が前記廊下部に面するとともに、前記洗面所の出入口が前記寝室に面することを特徴とする請求項１又は請求項２に記載の集合住宅の住戸構造。
【請求項４】
前記玄関部に全身鏡が配置されることを特徴とする請求項１から請求項３のいずれかに記載の集合住宅の住戸構造。
【請求項５】
前記玄関部にハンガーポールが配置されることを特徴とする請求項１から請求項４のいずれかに記載の集合住宅の住戸構造。
【手続補正２】
【補正対象書類名】明細書
【補正対象項目名】０００８
【補正方法】変更
【補正の内容】
【０００８】
本発明の集合住宅の住戸構造は、玄関部、キッチンコリドー部、及び居室部が界壁に沿って奥行方向に１列に並べて配置され、前記玄関部から間口方向に隣接して寝室に繋がる廊下部を有する集合住宅の住戸構造であって、前記居室部に採光可能な開口部が設けられるとともに、前記居室部と前記キッチンコリドー部との間及び前記キッチンコリドー部と前記玄関部との間は光が通過可能な構成であり、前記玄関部は全面が土間床であり、前記キッチンコリドー部は、前記玄関部から連続する土間床と、上がり框の前記居室部側に設けられ、前記居室部に連続するフローリングの一般床とを有し、前記界壁と逆側の間仕切壁に沿って、前記キッチンコリドー部の土間床にガスレンジ及びシンクが配置されるとともに、前記上がり框に隣接して前記一般床に冷蔵庫が配置され、前記キッチンコリドー部と前記居室部との境界に、前記間仕切り壁に当接するとともに前記界壁側に延びており、当該界壁との間に通路の間隔を開けて配置されるダイニングカウンタが形成されることを特徴としている。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】